(57)【要約】本開示は、内容プッシュ方法、装置及びマシン読取可能な媒体を提供する。そのうち、内容プッシュ方法は、端末から送信された第１ユーザが内容を閲読する時の、プラスフィードバック情報とマイナスフィードバック情報とを含むフィードバック情報を受信するステップと、プラスフィードバック情報及びマイナスフィードバック情報を修正して、修正後のプラスフィードバック情報及びマイナスフィードバック情報を解析し、第１ユーザ情報データベースに記憶される第１ユーザの興味タグを更新するステップと、前記端末から送信された広告推薦要求を受信したあと、ユーザの興味タグに基づいてユーザの興味タグに関連する内容データを取得し、第１ユーザに対して該内容データを推薦するステップと、を含む。本開示の実施例は、ユーザの現時点の興味に基づいてユーザが興味を持つ内容をリアルタイムに取得し、ユーザに対する正確な推薦を行うことができるので、広告配信の効率を向上させた。
2020536294.tif 000002
【特許請求の範囲】
【請求項１】
端末から送信された第１ユーザが内容を閲読する時の、プラスフィードバック情報とマイナスフィードバック情報とを含むフィードバック情報を受信するステップと、
前記プラスフィードバック情報及びマイナスフィードバック情報を修正して、修正後の前記プラスフィードバック情報及びマイナスフィードバック情報を解析し、第１ユーザ情報データベースに記憶される第１ユーザの興味タグを更新するステップと、
前記端末から送信された広告推薦要求を受信したあと、前記第１ユーザの興味タグに基づいて前記第１ユーザの興味タグに関連する内容データを取得し、第１ユーザに対して該内容データを推薦するステップと、
を含むことを特徴とする内容プッシュ方法。
【請求項２】
前記プラスフィードバック情報及びマイナスフィードバック情報を修正して、修正後の前記プラスフィードバック情報及びマイナスフィードバック情報を解析し、第１ユーザ情報データベースに記憶される第１ユーザの興味タグを更新するステップは、
受信した前記プラスフィードバック情報及びマイナスフィードバック情報に基づいてリアルタイムに修正を行い、第１ユーザ情報データベースに記憶される第１ユーザの興味タグを更新するステップを含むことを特徴とする請求項１に記載の内容プッシュ方法。
【請求項３】
前記プラスフィードバック情報及びマイナスフィードバック情報を修正するステップは、
前記プラスフィードバック情報と前記マイナスフィードバック情報との負相関性に基づいて前記プラスフィードバック情報及びマイナスフィードバック情報をそれぞれ修正するステップを含むことを特徴とする請求項１又は２に記載の内容プッシュ方法。
【請求項４】
前記プラスフィードバック情報及びマイナスフィードバック情報を修正して、修正後の前記プラスフィードバック情報及びマイナスフィードバック情報を解析し、第１ユーザ情報データベースに記憶される第１ユーザの興味タグを更新するステップは、
前記プラスフィードバック情報に対して意味解析を行ってユーザの興味キーワードを取得し、該興味キーワードを前記第１ユーザの興味タグとして前記第１ユーザ情報データベースに記憶しておき、前記マイナスフィードバック情報に対して意味解析を行って前記マイナスフィードバック情報に対応するキーワードを取得するステップと、
前記プラスフィードバック情報に対応するキーワードと前記マイナスフィードバック情報に対応するキーワードとの相関性に基づいて前記第１ユーザの興味タグとするキーワードを改正又は削除するステップと、
を含むことを特徴とする請求項１又は２に記載の内容プッシュ方法。
【請求項５】
前記プラスフィードバック情報に対応するキーワードと前記マイナスフィードバック情報に対応するキーワードとの相関性に基づいて前記第１ユーザの興味タグとするキーワードを改正又は削除するステップは、
前記プラスフィードバック情報に対応するキーワードと前記マイナスフィードバック情報に対応するキーワードとの意味上の包含関係を認識するステップと、
前記プラスフィードバック情報に対応するキーワードと前記マイナスフィードバック情報に対応するキーワードとの意味上の包含関係に基づいてユーザの興味を持つ物事の範囲を改めて確定し、前記第１ユーザの興味タグとするキーワードを改正又は削除するステップと、
を含むことを特徴とする請求項４に記載の内容プッシュ方法。
【請求項６】
前記プラスフィードバック情報は、第１ユーザの閲読内容、お気に入りの内容、コピー内容、検索内容、シェア内容及び購入した広告内容に関係する商品の情報を含むことを特徴とする請求項１乃至５のいずれか１項に記載の内容プッシュ方法。
【請求項７】
前記プラスフィードバック情報は、第１ユーザの積極的な気持ちを表す情報をさらに含むことを特徴とする請求項１乃至６のいずれか１項に記載の内容プッシュ方法。
【請求項８】
前記マイナスフィードバック情報は、第１ユーザの、報告した内容、オフにした内容、興味なしとマーキングした内容を含むことを特徴とする請求項１乃至７のいずれか１項に記載の内容プッシュ方法。
【請求項９】
前記マイナスフィードバック情報は、第１ユーザの消極的な気持ちを表す情報をさらに含むことを特徴とする請求項１乃至８のいずれか１項に記載の内容プッシュ方法。
【請求項１０】
前記第１ユーザに関連する第２ユーザの興味タグを取得し、該第２ユーザの興味タグに基づいて前記第１ユーザの興味タグを更新するステップをさらに含むことを特徴とする請求項１乃至９のいずれか１項に記載の内容プッシュ方法。
【請求項１１】
端末から送信された、第１ユーザが内容を閲読する時の、プラスフィードバック情報とマイナスフィードバック情報とを含むフィードバック情報を受信するための受信モジュールと、
前記プラスフィードバック情報及びマイナスフィードバック情報を修正して、修正後の前記プラスフィードバック情報及びマイナスフィードバック情報を解析し、第１ユーザ情報データベースに記憶される第１ユーザの興味タグを更新するための第１更新モジュールと、
前記端末から送信された広告推薦要求を受信したあと、前記第１ユーザの興味タグに基づいて前記第１ユーザの興味タグに関連する内容データを取得し、第１ユーザに対して該内容データを推薦するための推薦モジュールと、
を有することを特徴とする内容プッシュ装置。
【請求項１２】
前記第１更新モジュールは、受信した前記プラスフィードバック情報及びマイナスフィードバック情報に基づいてリアルタイムに修正を行い、第１ユーザ情報データベースに記憶される第１ユーザの興味タグを更新することを特徴とする請求項１１に記載の内容プッシュ装置。
【請求項１３】
前記第１更新モジュールは、前記プラスフィードバック情報と前記マイナスフィードバック情報との負相関性に基づいて前記プラスフィードバック情報及びマイナスフィードバック情報をそれぞれに修正するための修正ユニットを有することを特徴とする請求項１１又は１２に記載の内容プッシュ装置。
【請求項１４】
前記第１更新モジュールは、
前記プラスフィードバック情報に対して意味解析を行ってユーザの興味キーワードを取得し、該興味キーワードを前記第１ユーザの興味タグとして前記第１ユーザ情報データベースに記憶しておき、前記マイナスフィードバック情報に対して意味解析を行って前記マイナスフィードバック情報に対応するキーワードを取得し、
前記プラスフィードバック情報に対応するキーワードと前記マイナスフィードバック情報に対応するキーワードとの相関性に基づいて前記第１ユーザの興味タグとするキーワードを改正又は削除することを特徴とする請求項１１又は１２に記載の内容プッシュ装置。
【請求項１５】
前記第１更新モジュールは、前記プラスフィードバック情報に対応するキーワードと前記マイナスフィードバック情報に対応するキーワードとの相関性に基づいて前記第１ユーザの興味タグとするキーワードを改正又は削除するとき、前記プラスフィードバック情報に対応するキーワードと前記マイナスフィードバック情報に対応するキーワードとの意味上の包含関係を認識し、前記プラスフィードバック情報に対応するキーワードと前記マイナスフィードバック情報に対応するキーワードとの意味上の包含関係に基づいてユーザの興味を持つ物事の範囲を改めて確定し、前記第１ユーザの興味タグとするキーワードを改正又は削除することを特徴とする請求項１４に記載の内容プッシュ装置。
【請求項１６】
前記第１ユーザに関連する第２ユーザの興味タグを取得し、該第２ユーザの興味タグに基づいて前記第１ユーザの興味タグを更新するための第２更新モジュールをさらに有することを特徴とする請求項１１乃至１５のいずれか１項に記載の内容プッシュ装置。
【請求項１７】
プロセッサにより実行されることで請求項１乃至１０のいずれか１項に記載の内容推薦の方法を実現できるマシン実行可能なコマンドを記憶することを特徴とするマシン読取可能な媒体。
【発明の詳細な説明】
【技術分野】
【０００１】
関連出願の交互引用
本開示は、２０１８年０５月１０日に中国専利局に提出した出願番号が２０１８１０４４５１２８７であり、名称が「内容プッシュ方法及び装置」である中国特許出願に基づいて優先権を主張し、そのすべての内容が参照により本明細書に組み込まれる。
本開示は、コンピュータの技術分野に属し、具体的に、内容プッシュ方法、装置及びマシン読取可能な媒体に関する。
【背景技術】
【０００２】
従来技術において、広告業者が広告をプッシュする際、ユーザの興味を考慮し、ユーザの興味に応じて関連する広告情報のプッシュを行っていた。当発明者の研究により、従来技術においてユーザの興味情報に基づいて広告をプッシュする際に、ユーザ興味でない情報という要素が全面的に考慮されず、プッシュされた広告がより正確にユーザの当時の意向に合うことができなかった場合があると判明された。この場合、プッシュされた広告がユーザに迷惑をかけるおそれがあって、広告の効果が低減された。
【発明の概要】
【発明が解決しようとする課題】
【０００３】
本開示は、上記の課題を鑑みてなされたものであり、ユーザに対してユーザの興味に合う内容をより正確にプッシュできる内容プッシュ方法、内容プッシュ装置及びマシン読取可能な媒体を提供することを一目的とする。
【課題を解決するための手段】
【０００４】
第１局面として、本開示の実施例による内容プッシュ方法は、
端末から送信された第１ユーザが内容を閲読する時の、プラスフィードバック情報とマイナスフィードバック情報とを含むフィードバック情報を受信するステップと、
前記プラスフィードバック情報及びマイナスフィードバック情報を修正して、修正後の前記プラスフィードバック情報及びマイナスフィードバック情報を解析し、第１ユーザ情報データベースに記憶される第１ユーザの興味タグを更新するステップと、
前記端末から送信された広告推薦要求を受信したあと、前記第１ユーザの興味タグに基づいて前記第１ユーザの興味タグに関連する内容データを取得し、第１ユーザに対して該内容データを推薦するステップと、を含む。
【０００５】
上記の方法において、前記プラスフィードバック情報及びマイナスフィードバック情報を修正して、修正後の前記プラスフィードバック情報及びマイナスフィードバック情報を解析し、第１ユーザ情報データベースに記憶される第１ユーザの興味タグを更新するステップは、
受信した前記プラスフィードバック情報及びマイナスフィードバック情報に基づいてリアルタイムに修正を行い、第１ユーザ情報データベースに記憶される第１ユーザの興味タグを更新するステップを含むことが好ましい。
【０００６】
上記の方法において、前記プラスフィードバック情報及びマイナスフィードバック情報を修正するステップは、
前記プラスフィードバック情報と前記マイナスフィードバック情報との負相関性に基づいて前記プラスフィードバック情報及びマイナスフィードバック情報をそれぞれ修正するステップを含むことが好ましい。
【０００７】
上記の方法において、前記プラスフィードバック情報及びマイナスフィードバック情報を修正して、修正後の前記プラスフィードバック情報及びマイナスフィードバック情報を解析し、第１ユーザ情報データベースに記憶される第１ユーザの興味タグを更新するステップは、
前記プラスフィードバック情報に対して意味解析を行ってユーザの興味キーワードを取得し、該興味キーワードを前記第１ユーザの興味タグとして前記第１ユーザ情報データベースに記憶しておき、前記マイナスフィードバック情報に対して意味解析を行って前記マイナスフィードバック情報に対応するキーワードを取得するステップと、
前記プラスフィードバック情報に対応するキーワードと前記マイナスフィードバック情報に対応するキーワードとの相関性に基づいて前記第１ユーザの興味タグとするキーワードを改正又は削除するステップと、を含むことが好ましい。
【０００８】
上記の方法において、前記プラスフィードバック情報に対応するキーワードと前記マイナスフィードバック情報に対応するキーワードとの相関性に基づいて前記第１ユーザの興味タグとするキーワードを改正又は削除するステップは、
前記プラスフィードバック情報に対応するキーワードと前記マイナスフィードバック情報に対応するキーワードとの意味上の包含関係を認識するステップと、
前記プラスフィードバック情報に対応するキーワードと前記マイナスフィードバック情報に対応するキーワードとの意味上の包含関係に基づいてユーザの興味を持つ物事の範囲を改めて確定し、前記第１ユーザの興味タグとするキーワードを改正又は削除するステップと、を含むことが好ましい。
【０００９】
上記の方法において、前記プラスフィードバック情報は、第１ユーザの閲読内容、お気に入りの内容、コピー内容、検索内容、シェア内容及び購入した広告内容に関係する商品の情報を含むことが好ましい。
【００１０】
上記の方法において、前記プラスフィードバック情報は、第１ユーザの積極的な気持ちを表す情報をさらに含むことが好ましい。
【００１１】
上記の方法において、前記マイナスフィードバック情報は、第１ユーザの、報告した内容、オフにした内容、興味なしとマーキングした内容を含むことが好ましい。
【００１２】
上記の方法において、前記マイナスフィードバック情報は、第１ユーザの消極的な気持ちを表す情報をさらに含むことが好ましい。
【００１３】
上記の方法において、前記第１ユーザに関連する第２ユーザの興味タグを取得し、該第２ユーザの興味タグに基づいて前記第１ユーザの興味タグを更新するステップをさらに含むことが好ましい。
【００１４】
本開示の実施例による内容プッシュ方法は、少なくとも下記の有益な効果を有する。取得した端末から送信されたプラスフィードバック情報及びマイナスフィードバック情報に基づいて、該プラスフィードバック情報及びマイナスフィードバック情報を修正して、修正後のプラスフィードバック情報及びマイナスフィードバック情報に基づいて情報データベースに記憶される第１ユーザの興味タグを更新し、端末から送信された広告推薦要求を受信したあと、第１ユーザの興味タグに基づいて第１ユーザに対して該興味タグに関連する内容を推薦することによって、ユーザの現時点の興味に基づいてユーザが興味を持つ内容をリアルタイムに取得して、ユーザに対する推薦を行うことができるので、広告配信の効率を向上させたとともに、広告の効果を上げた。
【００１５】
第２局面として、本開示の実施例による内容プッシュ装置は、
端末から送信された第１ユーザが内容を閲読する時の、プラスフィードバック情報とマイナスフィードバック情報とを含むフィードバック情報を受信するための受信モジュールと、
前記プラスフィードバック情報及びマイナスフィードバック情報を修正して、修正後の前記プラスフィードバック情報及びマイナスフィードバック情報を解析し、第１ユーザ情報データベースに記憶される第１ユーザの興味タグを更新するための第１更新モジュールと、
前記端末から送信された広告推薦要求を受信したあと、前記ユーザの興味タグに基づいて前記ユーザの興味タグに関連する内容データを取得し、第１ユーザに対して該内容データを推薦するための推薦モジュールと、を有する。
【００１６】
上記の装置において、前記第１更新モジュールは、受信した前記プラスフィードバック情報及びマイナスフィードバック情報に基づいてリアルタイムに修正を行い、第１ユーザ情報データベースに記憶される第１ユーザの興味タグを更新することが好ましい。
【００１７】
上記の装置において、前記第１更新モジュールは、前記プラスフィードバック情報と前記マイナスフィードバック情報との負相関性に基づいて前記プラスフィードバック情報及びマイナスフィードバック情報をそれぞれに修正するための修正ユニットを有することが好ましい。
【００１８】
上記の装置において、前記第１更新モジュールは、前記プラスフィードバック情報に対して意味解析を行ってユーザの興味キーワードを取得し、該興味キーワードを前記第１ユーザの興味タグとして前記第１ユーザ情報データベースに記憶しておき、前記マイナスフィードバック情報に対して意味解析を行って前記マイナスフィードバック情報に対応するキーワードを取得し、前記プラスフィードバック情報に対応するキーワードと前記マイナスフィードバック情報に対応するキーワードとの相関性に基づいて前記第１ユーザの興味タグとするキーワードを改正又は削除することが好ましい。
【００１９】
上記の装置において、前記第１更新モジュールは、前記プラスフィードバック情報に対応するキーワードと前記マイナスフィードバック情報に対応するキーワードとの相関性に基づいて前記第１ユーザの興味タグとするキーワードを改正又は削除するとき、前記プラスフィードバック情報に対応するキーワードと前記マイナスフィードバック情報に対応するキーワードとの意味上の包含関係を認識し、前記プラスフィードバック情報に対応するキーワードと前記マイナスフィードバック情報に対応するキーワードとの意味上の包含関係に基づいてユーザの興味を持つ物事の範囲を改めて確定し、前記第１ユーザの興味タグとするキーワードを改正又は削除することが好ましい。
【００２０】
上記の装置において、前記第１ユーザに関連する第２ユーザの興味タグを取得し、該第２ユーザの興味タグに基づいて前記第１ユーザの興味タグを更新するための第２更新モジュールをさらに有することが好ましい。
【００２１】
第３局面として、本開示の実施例によるマシン読取可能な媒体は、プロセッサにより実行されることで本開示の実施例による前記内容推薦の方法を実現できるマシン実行可能なコマンドを記憶する。
【００２２】
本開示の実施例による内容プッシュ装置は、少なくとも下記の有益な効果を有する。取得した端末から送信されたプラスフィードバック情報及びマイナスフィードバック情報に基づいて、該プラスフィードバック情報及びマイナスフィードバック情報を修正して、修正後のプラスフィードバック情報及びマイナスフィードバック情報に基づいて情報データベースに記憶される第１ユーザの興味タグを更新し、端末から送信された広告推薦要求を受信したあと、第１ユーザの興味タグに基づいて第１ユーザに対して該興味タグに関連する内容を推薦することによって、ユーザの現時点の興味に基づいてユーザが興味を持つ内容をリアルタイムに取得して、ユーザに対する正確な推薦を行うことができるので、広告配信の効率を向上させたとともに、広告の効果を上げた。
【００２３】
本開示の上記目的、特徴及び利点をより明瞭にするため、以下、好ましい実施例を用い、添付の図面を合わせて、詳細に説明する。
本開示の具体の実施例をより明瞭に説明するため、以下、実施例の説明に必要の図面を簡単に説明する。明らかに、以下に説明される図面が本開示の実施例の一部を示すものであるため、範囲を限定するものでないこととみなすべきである。当業者は、発明能力を利用しなくても、これらの図面に基づいてその他の関係図面を得ることが可能である。
【図面の簡単な説明】
【００２４】
【図１】本開示の一実施例による内容プッシュ方法の応用パターンを示す模式図である。
【図２】本開示の一実施例による内容プッシュ方法の流れを示す模式図である。
【図３】本開示のその他実施例によるその他の内容プッシュ方法の流れを示す模式図である。
【図４】本開示の一実施例による内容プッシュ装置を示す構造模式図である。
【図５】本開示の一実施例によるその他の内容プッシュ装置を示す構造模式図である。
【図６】本開示の一実施例によるサーバを示す構造模式図である。
【発明を実施するための形態】
【００２５】
本開示の実施例の目的、技術案及び利点をより明瞭にするため、以下、本開示の実施例に用いられる図面を参照しながら、本開示の実施例における技術案を明瞭且つ完全に説明するが、説明される実施例が本開示の実施例の一部に過ぎず、すべての実施例ではないことは無論である。ここで図面に示した本開示の実施例における部品は、様々な配置方法で配置、設計されることができる。このため、以下の、図面に示した本開示の実施例に対する詳細な説明は、保護しようとする本開示の範囲を制限するものではなく、本開示の選択された実施例を示すものに過ぎない。本開示の実施例をもとに、当業者が発明能力を用いることなく得たすべてのその他の実施例は、いずれも本開示の保護範囲に属する。
【００２６】
本開示の実施例は、従来技術において広告をプッシュする際にユーザの該当時点の興味を考慮要素に入れなく、配信された広告がユーザにとって迷惑になり、広告の効果が低減されるという事情を鑑みて、内容プッシュ方法及び内容プッシュ装置を提供する。以下、実施例を用いて説明を行う。
【００２７】
図１に示すように、本技術案は、端末１０１とサーバ１０２とのインタラクションの応用パターンに適用され、端末１０１とサーバ１０２とが通信接続されることができ、通信接続されると、端末１０１とサーバ１０２との間でデータ通信を行うことができるようになる。
【００２８】
上記の端末１０１は、携帯電話、タブレット、ノートパソコン、デスクトップパソコンなどであってもよい。上記のサーバ１０２は、端末から送信された要求に応答することができる。
【００２９】
図２に示した実施例において、本開示の実施例による内容プッシュ方法は、以下のステップを含む。
【００３０】
Ｓ２０１は、端末から送信された第１ユーザが内容を閲読する時の、プラスフィードバック情報及びマイナスフィードバック情報を含むフィードバック情報を受信する。
【００３１】
端末は、ユーザがウェブページを開いて内容を閲読するたびに、ユーザの操作情報又は閲読内容等を取得し、該操作情報又は閲読内容等をリアルタイムにサーバへフィードバックする。該操作情報又は閲読内容等により、上記のプラスフィードバック情報及びマイナスフィードバック情報が構成される。
【００３２】
具体的に、上記のプラスフィードバック情報は、ユーザの閲読内容、お気に入りの内容、コピー内容、検索内容、シェア内容及びユーザが購入した広告内容に関係する商品の情報を含んでもよい。サーバは、端末から送信された上記のプラスフィードバック情報を受信した後、該プラスフィードバック情報に対して意味解析を行い、意味解析された結果に基づいてユーザの興味キーワードを特定し、該興味キーワードを第１ユーザの興味タグとして第１ユーザ情報データベースに記憶しておくように構成されてもよい。
【００３３】
具体的に、上記のマイナスフィードバック情報は、上記第１ユーザの、報告した内容、オフにした内容、興味なしとマーキングした内容、通知しないと設定した内容等を含む。
【００３４】
上記のプラスフィードバック情報は、第１ユーザの積極的な気持ちを表す情報をさらに含んでもよい。該情報は、予め定められたユーザの気持ちを反映できる閲読行動から導出されたものであってもよい。該ユーザの閲読行動は、例えばスクロールバーでのスクロール速度、マウスのクリック頻度等であってもよい。スクロールバーでのスクロール速度が第１設定値より小さいとともにマウスのクリック頻度が第１既定値より小さい場合、ユーザの気持ちが積極的な気持ちとなる確率が大きい。従って、プラスフィードバック情報は例えば「積極的な気持ち」等の情報を含んでもよい。ユーザのスクロールバーでのスクロール速度が第１設定値より大きいとともにマウスのクリック頻度が第１設定値より大きい場合、ユーザの気持ちが消極的な気持ちとなる確率が大きい。従って、マイナスフィードバック情報は「消極的な気持ち」等情報を含んでもよい。サーバは、「消極的な気持ち」の情報が含まれているマイナスフィードバック情報を受信した場合、広告プッシュの頻度を下げるように設定し、ユーザ体験を向上させる。
【００３５】
Ｓ２０２は、前記プラスフィードバック情報及びマイナスフィードバック情報を修正して、修正後の前記プラスフィードバック情報及びマイナスフィードバック情報を解析し、第１ユーザ情報データベースに記憶される第１ユーザの興味タグを更新する。
【００３６】
端末は、上記のプラスフィードバック情報及びマイナスフィードバック情報をリアルタイムに収集し、該プラスフィードバック情報及びマイナスフィードバック情報をサーバへ送信する。サーバは、該プラスフィードバック情報及びマイナスフィードバック情報を受信したあと、該プラスフィードバック情報及びマイナスフィードバック情報に対してそれぞれ意味解析を行い、プラスフィードバック情報に対応するキーワードとマイナスフィードバック情報に対応するキーワードとを取得する。さらに、該プラスフィードバック情報に対応するキーワード及びマイナスフィードバック情報に対応するキーワードに基づいてユーザ行動マッチングを行ってユーザの興味キーワードを取得し、該興味キーワードをユーザの興味タグとして第１ユーザ情報データベースに記憶し、即ち、第１ユーザの情報データベースに記憶されていた第１ユーザの興味タグを更新する。なお、ユーザごとに情報データベースが設けられ、各情報データベースに、該ユーザに対応する興味タグが記憶されている。
【００３７】
上記のプラスフィードバック情報に対応するキーワード及びマイナスフィードバック情報に対応するキーワードに基づいてユーザ行動マッチングを行うことは、前記プラスフィードバック情報と前記マイナスフィードバック情報との負相関性に基づいて前記プラスフィードバック情報及びマイナスフィードバック情報を修正することを含んでもよい。修正の方法として、前記プラスフィードバック情報に対応するキーワードと前記マイナスフィードバック情報に対応するキーワードとの相関性に基づいて前記第１ユーザの興味タグとするキーワードを改正又は削除することを含んでもよい。
【００３８】
具体的に、サーバは、プラスフィードバック情報に対応するキーワードとマイナスフィードバック情報に対応するキーワードとの意味上の包含関係を認識することができ、そして、プラスフィードバック情報に対応するキーワードとマイナスフィードバック情報に対応するキーワードとの意味上の包含関係に基づいてユーザの興味を持つ物事の範囲を改めて確定し、第１ユーザの興味タグとするキーワードを改正又は削除する。
【００３９】
例えば、サーバが受信したユーザのプラスフィードバック情報には自動車の広告情報に目を止めたことが含まれているとともに、ユーザのマイナスフィードバック情報には中古車関係の広告の情報をオフにしたことがさらに含まれていると、プラスフィードバック情報に新車の広告情報を追加するようにする。これは、プラスフィードバック情報とマイナスフィードバック情報との負相関性を利用した結果である。他の例において、ユーザのマイナスフィードバック情報には、中学生補習コースの広告を続々とオフした回数が設定回数を超えたことが含まれていると、プラスフィードバック情報において中学生補習コースの広告の存否に対して検索を行い、存在する場合、プラスフィードバック情報から当該情報を削除するようにする。これにより、プラスフィードバック情報及びマイナスフィードバック情報は、ユーザの一部の操作行動の回数を含んでもよいことがわかった。
【００４０】
本実施例において、プラスフィードバック情報に対応するキーワードとマイナスフィードバック情報に対応するキーワードとの意味上の包含関係を認識することにより第１ユーザ興味タグを調整するので、キーワードの出現頻度又は重みのみにより興味タグを特定する方式と比べ、ユーザ興味範囲をより快速、正確に確定でき、従って正確な内容プッシュのためデータサポートを提供できる。
【００４１】
ユーザの興味が変化し続けるものであるため、ユーザが一期間内においてある物事に興味を持ち、他の期間内においてその他の物事に興味を持つようになるかもしれない。本実施例において、ユーザの興味の時効性を十分考慮し、端末から送信されたプラスフィードバック情報及びマイナスフィードバック情報に対してリアルタイム又は設定の期間ごとに修正をかけているため、ユーザに推薦する内容データが現時点のユーザの興味を持つものであることを保証できる。ここで、内容データが広告、文章等であってもよく、広告である場合、広告の効果をさらに向上させることができる。
【００４２】
例として、広告推薦要求には、アプリケーションのログインに用いられるユーザ名又は端末ハードウェア識別子又はＩＰアドレスであるユーザ識別子を含む。端末がソーシャルネットワークアプリケーションを介して広告推薦要求を送信した場合、現在ログインしているユーザ名を自動的に取得し、広告推薦要求を生成してサーバへ送信し、サーバが広告推薦要求に含まれているユーザ名でユーザを特定する。アプリケーションがログインされていないときに広告推薦要求が送信された場合、端末ハードウェア識別子又はＩＰアドレスを、ユーザを識別するための情報に用いてもよく、サーバが広告推薦要求に含まれているハードウェア識別子又はＩＰアドレスでユーザを特定する。
【００４３】
Ｓ２０３は、前記端末から送信された広告推薦要求を受信したあと、前記ユーザの興味タグに基づいて前記ユーザの興味タグに関連する内容データを取得して、第１ユーザに対して該内容データを推薦する。
【００４４】
端末が、ユーザによりウェブページが開かれることを検出したとき、又はユーザにより検索枠に検索内容が入力されたことを検出したとき、広告推薦要求を生成してサーバへ送信し、サーバが、該広告推薦要求を受信し、ユーザの興味タグに関連する広告又は文章等の内容である内容データを取得して該ユーザに推薦するように構成されてもよい。
【００４５】
上記の端末がサーバから送信された広告データを受信したあと、該広告データを規定の広告推薦領域に表示させる。検索枠内で交替にスクロールして表示させることができるし、検索枠の下方のコンボボックス内で並べて表示させることができる。ユーザがウェブページを閲覧するとき、最初に目を付ける箇所が検索枠の位置となるため、上記のようにしてウェブページ全体の利用効率及び広告の注目率を向上させた。
【００４６】
本実施例において、広告を例にして、広告データが広告プールに蓄積され、広告ごとに予め複数のタグを付けておき、例えば、子供コートの広告に対応するタグが「子ども服」、「コート」、「男の子」等であってもよい。サーバは、ユーザの興味タグに基づいて広告プールから該興味タグに関連する広告データを自動的に選出する。当該関連する広告データは、ユーザの興味キーワードと一致する広告タグの広告データや、ユーザのキーワードと関連する広告タグの広告データを含んでもよい。
【００４７】
サーバは、さらに、選出された広告データとユーザの興味キーワードとの関連性を演算し、関連性に基づいて広告データを序列化させ、ユーザに対して関連性の高い方から順次に推薦することができる。
【００４８】
本出願のもう１つの実施例において、上記の内容プッシュ方法は、下記のステップをさらに含む。
【００４９】
Ｓ２０４は、前記第１ユーザに関連する第２ユーザの興味タグを取得し、該第２ユーザの興味タグに基づいて前記第１ユーザの興味タグを更新する。
【００５０】
サーバは、修正後の第１ユーザのプラスフィードバック情報及びマイナスフィードバック情報に基づいてユーザの興味タグを更新したあと、再び該第１ユーザに関連する第２ユーザの興味タグを取得し、第２ユーザの興味タグに基づいて第１ユーザの興味タグをさらに更新する。
【００５１】
上記の第１ユーザに関連する第２ユーザは、設定期間内で入力した検索ルートが第１ユーザの検索ルートと一致又は一致の度合が設定閾値を上回ったユーザであってもよい。
【００５２】
第１ユーザと第２ユーザには関連性があると、第１ユーザが第２ユーザと同様又は類似な興味をもつ可能性がある。このため、本実施例において、第２ユーザの興味タグに基づいて第１ユーザの興味タグを更新することによって、第２ユーザの興味範囲により第１ユーザの興味範囲をある程度で予測し、第１ユーザに対して類似の内容をプッシュすることを実現することができる。
【００５３】
上記から分かるように、端末は、ユーザが情報を検索するとき、さらにユーザに入力された検索ルートを取得してサーバへ送信することに用いられ、サーバは、該ユーザの検索ルートを受信、記憶する。
【００５４】
本開示のもう１つの実施例において、内容プッシュ装置がさらに開示され、前記装置は、
端末から送信された第１ユーザが内容を閲読する時の、プラスフィードバック情報とマイナスフィードバック情報とを含むフィードバック情報を受信するための受信モジュール３０１と、
前記プラスフィードバック情報及びマイナスフィードバック情報を修正して、修正後の前記プラスフィードバック情報及びマイナスフィードバック情報を解析し、第１ユーザ情報データベースに記憶される第１ユーザの興味タグを更新するための第１更新モジュール３０２と、
前記端末から送信された広告推薦要求を受信したあと、前記ユーザの興味タグに基づいて前記ユーザの興味タグに関連する内容データを取得して、第１ユーザに対して該内容データを推薦するための推薦モジュール３０３と、
を有する。
【００５５】
前記第１更新モジュール３０２は、前記プラスフィードバック情報と前記マイナスフィードバック情報との負相関性に基づいて前記プラスフィードバック情報及びマイナスフィードバック情報を修正するための修正ユニットを有することが好ましい。
【００５６】
図５に示した実施例のように、上記の装置は、前記第１ユーザに関連する第２ユーザの興味タグを取得し、該第２ユーザの興味タグに基づいて前記第１ユーザの興味タグを更新するための第２更新モジュール３０４をさらに有することが好ましい。
【００５７】
本開示の一実施例において、コンピュータの不揮発性記憶媒体をさらに提供する。前記コンピュータ記憶媒体にはコンピュータ実行可能なコマンドが記憶され、該コンピュータ実行可能なコマンドにより、上記の任意の方法の実施例における内容プッシュ方法を実行させることができる。
【００５８】
図６は、本開示のその他の実施例によるサーバ１０２を示す模式図である。該サーバ１０２は、プロセッサ４０１と、メモリ４０２（マシン読取可能な媒体）と、バス４０３とを有する。そして、メモリ４０２にはマシン実行可能なコマンドが記憶され、プロセッサ４０１は、メモリ４０２における内容プッシュに対応するマシン実行可能なコマンドを読み取って実行することにより、上記説明した内容プッシュ方法を実行することができる。
【００５９】
例えば、メモリ４０３には実行コマンドが記憶され、装置が作動するとき、プロセッサ４０１とメモリ４０２とがバス４０３を介して通信し、プロセッサ４０１はメモリ４０２に記憶された下記の実行コマンドを実行する。
【００６０】
即ち、端末から送信された第１ユーザが内容を閲読する時の、プラスフィードバック情報とマイナスフィードバック情報とを含むフィードバック情報を受信し、
前記プラスフィードバック情報及びマイナスフィードバック情報を修正して、修正後の前記プラスフィードバック情報及びマイナスフィードバック情報を解析し、第１ユーザ情報データベースに記憶されている第１ユーザの興味タグを更新し、
前記端末から送信された広告推薦要求を受信したあと、前記ユーザの興味タグに基づいて前記ユーザの興味タグに関連する内容データを取得して、第１ユーザに対して該内容データを推薦する。
【００６１】
プロセッサ４０１は、具体的に、前記プラスフィードバック情報と前記マイナスフィードバック情報との負相関性に基づいて前記プラスフィードバック情報及びマイナスフィードバック情報を修正することに用いられる。
【００６２】
また、プロセッサ４０１は、さらに、前記第１ユーザに関連する第２ユーザの興味タグを取得して、該第２ユーザの興味タグに基づいて前記第１ユーザの興味タグを更新することに用いられる。
【００６３】
本願におけるメモリ４０２は、例えば実行可能なコマンド、データ等の情報を記憶することができる如何なる電子、磁性、光学又はその他の物理的な記憶装置であってもよい。例えば、マシン読取可能な媒体は、ＲＡＭ（Ｒａｄｏｍ  Ａｃｃｅｓｓ  Ｍｅｍｏｒｙ、ランダムアクセスメモリ）、揮発性メモリ、不揮発性メモリ、フラッシュメモリ、メモリドライブ（例えばハードディスクドライブ）、ソリッドステートドライブ、如何なるタイプのメモリディスク（例えば光ディスク、ＤＶＤ等）、又は類似の記憶媒体、又はこれらの組み合わせであってもよい。
【００６４】
本開示の実施例による内容プッシュ方法を実行するコンピュータプログラム製品は、プログラムコードが記憶されたコンピュータ読取可能な記憶媒体を含み、前記プログラムコードは、上記の方法の実施例における上記の方法を実行するためのコマンドを含み、具体的な実現については方法の実施例を参照できるので、ここで説明を省略する。
【００６５】
本開示の実施例による内容プッシュ装置は、設備における特定のハードウェア、又は設備にインストールされるソフトウェア又はファームウェア等であってもよい。本開示の実施例による装置の実現原理及びその技術的効果は、上記の方法の実施例と同様であり、簡潔のため、装置の実施例に言及されなかった部分について、上記の方法の実施例における対応の内容を参照することになる。便利且つ簡潔に説明するため、上記に説明されたシステム、装置及びユニットの具体的な作動プロセスについて、当業者は、上記の方法実施例における対応のプロセスを参照できるので、ここで説明を省略する。
【００６６】
本開示による実施例において、記載された装置及び方法は、その他の方式により実現されることが可能であると理解すべきである。上記に説明された装置の実施例は、模式的なものに過ぎない。例えば、前記のユニットの区画は、ロジック機能の区画にすぎず、実際に実現する際にその他の区画方式により実現されてもよい。また、例えば、複数のユニット又は部材をもう１つのシステムに結合又は集積させてもよく、或いは一部の特徴を無視又は不実行にしてもよい。なお、開示又は検討された相互の結合、直接的な結合又は通信接続は、あるインターフェース、装置又はユニットを介する間接的な結合又は通信接続であってもよく、また、電気的、機械的又はその他の形式で接続されてもよい。
【００６７】
上記の別体として説明されたユニットは、物理的に分けているものであってもよく分けていないものであってもよい。ユニットとして開示された部材は、物理的ユニットであってもよく物理的ユニットでなくてもよく、つまり、同一場所に位置してもよく、複数のネットワークユニットに分散されてもよい。実際の要求に応じて一部又は全部のユニットを選択して本実施例の案の目的を実現することが可能である。
【００６８】
また、本開示による実施例における各機能ユニットは、１つの処理ユニットに集積されてもよく、単独の物理的な存在として機能してもよく、２つ以上のユニットを１つのユニットに集積させてもよい。
【００６９】
前記機能は、ソフトウェア機能ユニットの形式で実現され、そして、独立の製品として市販されたり使用されたりする場合、コンピュータの読み取り可能な記憶媒体に記憶できる。このような理解をもとに、本発明の技術方案のそのもの、従来技術に貢献する部分或いは該技術方案の一部は、ソフトウェア製品の形式で実現できる。該コンピュータソフトウェア製品は、記憶媒体に記憶され、コンピュータ装置（パソコン、サーバ或いはネットワーク装置等）に本開示の各実施例の前記方法の全て又は一部を実行させるための複数のコマンドを含む。前記記憶媒体は、ＵＳＢディスク、携帯型ハードディスク、リードオンリーメモリ（ＲＯＭ：Ｒｅａｄ  Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等の各種の、プログラムコードの記憶できる媒体を含む。
【００７０】
なお、同様な符号は、全ての図面において同様な項目を示すので、１つの図面で定義された場合、その他の図面で当該項目をさらに定義、解釈することが不要になる。また、用語「第１」、「第２」、「第３」は、区別して説明するためのものに過ぎず、相対的な重要性を明示又は暗示するものではないと理解すべきである。
【００７１】
最後に要注意であるのが、上記の実施例は、本開示の技術案を説明するための具体的な実施形態にすぎず、本開示を限定するものではないので、本開示の保護範囲はこれに限定されない。前記実施例を用いて本開示を詳しく説明したが、当業者は、本開示に開示された技術的範囲において、前記実施例に記載された技術案に対して改良又は変更の提案をすることができ、或いはその中の技術的特徴の一部に対して均等置換を行うこともできることが無論である。これらの改良、変更または置換の該当する技術案の本質は、本公開による技術案の主旨や範囲から逸脱せず、いずれも本開示の保護範囲に属するものである。このため、本開示の保護範囲は特許請求の範囲に準ずるべきである。
【００７２】
産業上の利用可能性
【００７３】
本開示の実施例による内容プッシュ方法、装置及びマシン読取可能な媒体は、取得した端末から送信されたプラスフィードバック情報及びマイナスフィードバック情報に基づいて、該プラスフィードバック情報及びマイナスフィードバック情報を修正し、修正後のプラスフィードバック情報及びマイナスフィードバック情報に基づいて情報データベースに記憶される第１ユーザの興味タグを更新し、そして、端末から送信された広告推薦要求を受信したあと、第１ユーザの興味タグに基づいて第１ユーザに対して該興味タグに関連する内容を推薦する。このため、ユーザの現時点の興味に基づいてユーザが興味を持つ内容をリアルタイムに取得して、ユーザに対する推薦を行うことができるので、広告配信の効率を向上させたとともに、広告の効果を上げた。
【図１】
2020536294.tif 000003
【図２】
2020536294.tif 000004
【図３】
2020536294.tif 000005
【図４】
2020536294.tif 000006
【図５】
2020536294.tif 000007
【図６】
2020536294.tif 000008
【国際調査報告】
2020536294.tif 000009
2020536294.tif 000010
2020536294.tif 000011
2020536294.tif 000012